(57)【特許請求の範囲】
【請求項１】
カードを挿入するカード挿入口と、このカード挿入口を形成するカード挿入口部材と、このカード挿入口から挿入されたカードのカード挿入路を形成し、このカード挿入路に挿入されたカードの端子と接触するＩＣ接触端子が設けられたＩＣユニットと、このＩＣユニットを搭載する制御基板と、前記カード挿入路に挿入されたカードの磁気情報を処理する磁気ヘッドと、この磁気ヘッドが取り付けられる磁気ヘッドホルダーとを備えたカード処理装置において、
前記ＩＣユニットに対して前記磁気ヘッドホルダーを位置決めした状態で、前記カード挿入口部材に前記制御基板と前記磁気ヘッドホルダーとを一体的に取り付けたことを特徴とするカード処理装置。
【請求項２】
請求項１記載のカード処理装置において、
前記カード挿入口部材に前記磁気ヘッドに対向する対向板を一体に設けたことを特徴とするカード処理装置。
【発明の詳細な説明】
【技術分野】
【０００１】
本発明は、カードに記録された情報を磁気ヘッドと接触型ＩＣ接点とによって処理するカード処理装置に関するものである。
【背景技術】
【０００２】
従来のカード処理装置としては、カードを挿入するカード挿入口と、カード挿入口から挿入されたカードに追従して移動し移動端限においてカードの端子と接触するＩＣ接触子を有するＩＣ接点ホルダーと、挿入されたカードの磁気情報を処理する磁気ヘッドとを備えたものがある（例えば、特許文献１参照）。
【特許文献１】特開２００１−３４７１４号公報
【発明の開示】
【発明が解決しようとする課題】
【０００３】
上述した従来のカード処理装置においては、ＩＣ接点ホルダーと磁気ヘッドとが、それぞれ筐体に個別に取り付けられた構造になっている。したがって、カード挿入路に挿入されるカードに対するＩＣ接点ホルダーのＩＣ接触子の位置調整と、磁気ヘッドの位置調整との２つの位置調整を個別に行わなければならないため組立作業が煩雑であるいう問題があった。
【０００４】
本発明は上記した従来の問題に鑑みなされたものであり、その目的とするところは、カード挿入路に挿入されるカードに対する磁気ヘッドの位置調整を不要にし、もって組立作業を容易にするところにある。
【課題を解決するための手段】
【０００５】
この目的を達成するために、請求項１に係る発明は、カードを挿入するカード挿入口と、このカード挿入口を形成するカード挿入口部材と、このカード挿入口から挿入されたカードのカード挿入路を形成し、このカード挿入路に挿入されたカードの端子と接触するＩＣ接触端子が設けられたＩＣユニットと、このＩＣユニットを搭載する制御基板と、前記カード挿入路に挿入されたカードの磁気情報を処理する磁気ヘッドと、この磁気ヘッドが取り付けられる磁気ヘッドホルダーとを備えたカード処理装置において、前記ＩＣユニットに対して前記磁気ヘッドホルダーを位置決めした状態で、前記カード挿入口部材に前記制御基板と前記磁気ヘッドホルダーとを一体的に取り付けたものである。
【０００６】
請求項２に係る発明は、請求項１に係る発明において、前記カード挿入口部材に前記磁気ヘッドに対向する対向板を一体に設けたものである。
【発明の効果】
【０００７】
請求項１に係る発明によれば、ＩＣユニットと磁気ヘッドホルダーとを個別に取り付けるのではなく、ＩＣユニットに対して前記磁気ヘッドホルダーを位置決めした状態で、カード挿入口部材に一体的に取り付けることによって、カード挿入路に挿入されるカードに対する磁気ヘッドの位置調整が不要になる。また、ＩＣユニットのカード挿入路に挿入されるカードに対して磁気ヘッドを正しい位置に位置付けることができるため、磁気ヘッドによる処理不良を防止することができる。
【０００８】
請求項２に係る発明によれば、磁気ヘッドに対向させるタッチローラ等を設ける必要がないため部品点数を削減することができる。
【発明を実施するための最良の形態】
【０００９】
以下、本発明の実施の形態を図に基づいて説明する。図１は本発明に係るカード処理装置の平面図、図２は図１におけるII-II 線断面図、図３は図１におけるIII-III 線断面図、図４は同じくカード挿入口部材を示し、同図（Ａ）は平面図、同図（Ｂ）は正面図、同図（Ｃ）は側面図、同図（Ｄ）は同図（Ｂ）におけるIV（Ｄ）-IV（Ｄ） 線断面図、図５は同じくＩＣユニットを示し、同図（Ａ）は平断面図、同図（Ｂ）は同図（Ａ）におけるV（Ｂ）-V（Ｂ） 線断面図、図６は同じく磁気ヘッドホルダーを示し、同図（Ａ）は平面図、同図（Ａ）におけるVI（Ｂ）-VI（Ｂ） 線断面図である。
【００１０】
図１に全体を符号１で示すカード処理装置は、カード２を挿入するためのカード挿入口３を有するカード挿入口部材４と、カード挿入路５を形成しＩＣ接触端子６を有するＩＣユニット７と、このＩＣユニット７を搭載する制御基板８と、磁気ヘッド９が取り付けられたヘッド基板１０とによって概ね構成されている。
【００１１】
前記カード挿入口部材４は、図４に示すようにカード挿入口３が形成された前面板１２を備えており、この前面板１２の両端部には、一対の取付片１３，１３が矢印Ａ方向に一体に突設されている。これら取付片１３，１３には、位置決め用の突起１４とねじ挿通孔１５が設けられている。１６，１６は磁気ヘッド９に対向するヘッド対向板であって、前面板１２の中央部から矢印Ａ方向へ一体に突設されている。このように、磁気ヘッド９に対向するヘッド対向板１６をカード挿入口部材４に一体に設けたことにより、磁気ヘッド９に対向させるタッチローラ等を設ける必要がないため部品点数を削減することができる。
【００１２】
ＩＣユニット７は、図５に示すように、底部２１と、この底部２１の両端部から立設された互いに対向する一対の側部２２Ａ，２２Ｂと、底部１の矢印Ａ方向の端部から立設され、ＩＣ接触端子６が取り付けられた背面部２３とを備えている。前記一対の側部２２Ａ，２２Ｂの一方の側部２２Ａの側面は、後述する磁気ヘッドホルダー１０の突当て部３２ａが突き当てられ、磁気ヘッドホルダー１０に取り付けられた磁気ヘッド９を位置決めする基準面２２ａを形成している。２４，２４は側部２２Ａ，２２Ｂに互いに対向するように取り付けられたガイド部材であって、断面がコ字状に形成されており、上下に互いに対向する折曲部２４ａ，２４ｂが設けられている。
【００１３】
これらガイド２４および折曲部２４ａ，２４ｂと底板２１とによってカード２を矢印Ａ−Ｂ方向に案内するカード挿入路５が形成されている。２５は底板６に対向するように側部２２Ａ，２２Ｂに取り付けられた基台であって、位置決め用突起２５ａを介して制御基板８が取り付けられる。また、この制御基板８の矢印Ｂ方向の端部には、図３に示すように、ねじ挿通孔２６，２６および位置決め用孔２７ならびに長孔２８が設けられている。
【００１４】
磁気ヘッドホルダー１０は、図６に示すように、ヘッド用窓３１ａ，３１ｂが設けられた底板３１と、この底板３１の両端部から立設され互いに対向する一対の側壁３２Ａ，３２Ｂとこれら側壁３２Ａ，３２Ｂの上端に設けられたフランジ３３，３３とによって形成されている。一方の側壁３２Ａの内側には、上記したＩＣユニット７の一方の側部２２Ａに突き当てられる突当て部３２ａが形成されている。前記フランジ３３，３３の裏面には、筒部３４が一体に突設されており、この筒部３４にはねじ孔３４ａが設けられている。
【００１５】
ＩＣユニット７を搭載した制御基板８は、図３に示すように位置決め用孔２７および長孔２８に、カード挿入口部材４の取付片１３の位置決め用の突起１４，１４が係入され、取付片１３，１３上に載置されている。磁気ヘッドホルダー１０は、突当て部３２ａをＩＣユニット７の基準面２２ａに突き当てた状態で、制御基板８の挿通孔２６とカード挿入口部材４の挿通孔１５に挿通させ、磁気ヘッドホルダー１０のねじ孔３４ａに螺合したねじ４０によって、カード挿入口部材４に制御基板８と共に一体に取り付けられている。この状態で、カード挿入口部材４の対向板１６が、図２に示すように磁気ヘッドホルダー１０に取り付けられた磁気ヘッド９に対向する。
【００１６】
このように、磁気ヘッドホルダー１０は、カード挿入路５が形成されているＩＣユニット７の基準面２２ａに突当て部３２ａを突き当てた状態でカード挿入口部材４に取り付けられている。このため、磁気ヘッドホルダー１０に取り付けた磁気ヘッド９が、カード挿入路５に挿入されるカード２の幅方向（矢印Ｃ−Ｄ方向）に対して正しい位置に位置付けられるから、磁気ヘッド９の位置調整が不要になるとともに、磁気ヘッド９による読取り不良を防止することができる。
【００１７】
また、ＩＣユニット７とヘッドホルダー１０とを個別に取り付けるのではなく、カード挿入口部材４に、ＩＣユニット７にヘッドホルダー１０を位置決めした状態で、ＩＣユニット７とヘッドホルダー１０とを一体的に取り付けている。したがって、ＩＣユニット７のＩＣ接触子６と、ヘッドホルダー１０に取り付けた磁気ヘッド９とを個別に位置調整することなく、磁気ヘッド９が挿入されるカード２に対して正しい位置に位置付けられる。このため、ＩＣ接触子６に対する磁気ヘッド９の位置調整が不要になり、組立作業が容易になる。
【００１８】
このような構成において、図１において、カード２をカード挿入口３からカード挿入路５内に挿入することによって、挿入されたカード２の両側部は、ＩＣユニットの両ガイド２４，２４によって矢印Ａ方向に案内される。カード２をカード挿入路５内に挿入し切ると、カード２の端子がＩＣ接触子６に接触するとともにカード２の磁気ストライプに記録された磁気情報が磁気ヘッド９によって処理され、ＩＣ接触子６を介してカード２に内蔵されたＩＣに記録されている情報が処理される。カード２に記録された情報の処理が終了したら、カード２を矢印Ｂ方向に移動させ、カード挿入口３から抜き取る。
【００１９】
なお、本実施の形態においては、カード２にＩＣ接触子６に接触する端子と磁気ストライプの両方を備えた例を説明したが、端子と磁気ストライプを個別に備えたカードを使用することも可能である。
【図面の簡単な説明】
【００２０】
【図１】本発明に係るカード処理装置の平面図である。
【図２】図１におけるII-II 線断面図である。
【図３】図１におけるIII-III 線断面図である。
【図４】本発明に係るカード処理装置におけるカード挿入口部材を示し、同図（Ａ）は平面図、同図（Ｂ）は正面図、同図（Ｃ）は側面図、同図（Ｄ）は同図（Ｂ）におけるIV（Ｄ）-IV（Ｄ） 線断面図である。
【図５】本発明に係るカード処理装置におけるＩＣユニットを示し、同図（Ａ）は平断面図、同図（Ｂ）は同図（Ａ）におけるV（Ｂ）-V（Ｂ） 線断面図である。
【図６】本発明に係るカード処理装置における磁気ヘッドホルダーを示し、同図（Ａ）は平面図、同図（Ａ）におけるVI（Ｂ）-VI（Ｂ） 線断面図である。
【符号の説明】
【００２１】
１…カード処理装置、２…カード、３…カード挿入口、４…カード挿入口部材、５…カード挿入路、６…ＩＣ接触子、７…ＩＣユニット、８…制御基板、９…磁気ヘッド、１０…磁気ヘッドホルダー、１４…位置決め用突起、１５…挿通孔、１６…対向板、２２ａ…基準面、３２ａ…突当て部、４０…ねじ。
【図１】
0004650191.tif 000002
【図２】
0004650191.tif 000003
【図３】
0004650191.tif 000004
【図４】
0004650191.tif 000005
【図５】
0004650191.tif 000006
【図６】
0004650191.tif 000007